(57)【特許請求の範囲】
【請求項１】
パチンコ遊技機において、
複数の装飾部材と、
前記複数の装飾部材を夫々可動に保持する複数の装飾保持部材であって、静止側のベース部材に第１位置と第２位置とに亙って夫々回動自在に支持された複数の装飾保持部材と、
前記複数の装飾保持部材を前記第１位置から前記第２位置へ夫々回動させて、前記複数の装飾部材と複数の装飾保持部材を夫々分離状態から合体させ、前記複数の装飾保持部材を前記第２位置から第１位置へ夫々回動させて、前記複数の装飾部材と複数の装飾保持部材を合体状態から分離させる役物合体分離機構と、
前記複数の装飾部材を前記役物合体分離機構で合体させた状態で一体的に回転させるように駆動する役物駆動機構とを備え、
前記役物合体分離機構は、前記複数の装飾保持部材を合体させた状態で連結解除可能に連結する装飾保持部材連結機構であって、隣接する２つの装飾保持部材のうちの一方に設けられたフック部材と他方に設けられ且つ前記フック部材が係合するフック係合部とを装飾保持部材連結機構を有し、
前記複数の装飾部材及び前記複数の装飾保持部材を分離状態から合体可能に、前記分離状態で前記複数の装飾部材を前記複数の装飾保持部材に対して所定の合体分離位置に夫々保持する手段を有し、前記複数の装飾部材及び前記複数の装飾保持部材を合体状態から分離可能に、前記役物駆動機構により前記複数の装飾部材を回転させた後に、前記合体分離位置に停止させることを特徴とするパチンコ遊技機。
【発明の詳細な説明】
【技術分野】
【０００１】
本発明はパチンコ遊技機に関し、特に、複数の装飾部材が合体・分離し、合体した状態で一体的に動く（回転する）ものであり、複数の装飾部材を夫々保持する複数の装飾保持部材同士を連結解除可能に連結するものである。
【背景技術】
【０００２】
従来、パチンコ遊技機の演出装置として次のように作動するものが実用に供されている。特許文献１の演出装置では、装飾部材が画面前側に出現し、特許文献２の演出装置では、１対の装飾部材が分離した状態から画面前側に出現して当接状に合体し、特許文献３の演出装置では、装飾部材が画面前側に出現して回転する。
【０００３】
特許文献４の演出装置では、１対の装飾部材が分離した状態から画面前側に出現して当接状に合体し、更に別の装飾部材が画面前側に出現して回転する。特許文献５の演出装置では、複数の扇形の装飾部材が同心状に回動可能に設けられ、この複数の装飾部材の先頭の装飾部材を回動させると、複数の装飾部材が当初全て前後に重なった状態から軸心回りに広がるように展開する。
【先行技術文献】
【特許文献】
【０００４】
【特許文献１】特開２０１０−５１３８６号公報
【特許文献２】特開２００７−２５２５３３号公報
【特許文献３】特開２００８−１８３０３０号公報
【特許文献４】特開２０１０−２２６４３号公報
【特許文献５】特開２０１０−１４８７０１号公報
【発明の概要】
【発明が解決しようとする課題】
【０００５】
特許文献１〜５のパチンコ遊技機の演出装置では、次の点で斬新さに欠け、インパクトの有る動作を実現することができないため、演出効果を望むように高めることができない。特許文献１では、装飾部材が単純に画面前側に出現する動作を行うだけであり、特許文献２では、１対の装飾部材が分離状態から合体し且つ合体状態から分離するが、この合体・分離動作以上の特有の動作は行われない。
【０００６】
特許文献３では、装飾部材が画面前側に出現して回転するが、この動作は１つの装飾部材により行われる。この装飾部材を複数設けた場合でも、この複数の装飾部材は独立に画面前側に出現して回転するだけである。特許文献４では、特許文献２，３の技術を組合せた技術となり、分離した状態から画面前側に出現して当接状に合体する１対の装飾部材と、画面前側に出現して回転する装飾部材は全て別物であり独立に動作する。
【０００７】
尚、特許文献５では、複数の装飾部材が、その先頭の装飾部材を回動させると、当初全て前後に重なった状態から軸心回りに広がるように展開する特殊な動作を行うが、各装飾部材は同一軸心回りを回動する動作を行うだけである。
【０００８】
本発明の目的は、複数の装飾部材の斬新で且つインパクトの有る動作を実現して演出効果を高め、それを確実に達成することができるパチンコ遊技機を提供することである。
【課題を解決するための手段】
【０００９】
請求項１の発明は、パチンコ遊技機(1)において、複数の装飾部材(40A,40B)と、前記複数の装飾部材(40A,40B)を夫々可動に保持する複数の装飾保持部材(41A,41B)であって、静止側のベース部材(48A,48B)に第１位置と第２位置とに亙って夫々回動自在に支持された複数の装飾保持部材(41A,41B)と、前記複数の装飾保持部材(41A,41B)を前記第１位置から前記第２位置へ夫々回動させて、前記複数の装飾部材(40A,40B)と複数の装飾保持部材(41A,41B)を夫々分離状態から合体させ、前記複数の装飾保持部材(41A,41B)を前記第２位置から第１位置へ夫々回動させて、前記複数の装飾部材(40A,40B)と複数の装飾保持部材(41A,41B)を合体状態から分離させる役物合体分離機構(42)と、前記複数の装飾部材(40A,40B)を前記役物合体分離機構(42)で合体させた状態で一体的に回転させるように駆動する役物駆動機構(43)とを備え、前記役物合体分離機構(42)は、前記複数の装飾保持部材(41A,41B)を合体させた状態で連結解除可能に連結する装飾保持部材連結機構(60)であって、隣接する２つの装飾保持部材(41A,41B)のうちの一方に設けられたフック部材(61)と他方に設けられ且つ前記フック部材(61)が係合するフック係合部(66)とを有する装飾保持部材連結機構(60)を有し、前記複数の装飾部材(40A,40B)及び前記複数の装飾保持部材(41A,41B)を分離状態から合体可能に、前記分離状態で前記複数の装飾部材(40A,40B)を前記複数の装飾保持部材(41A,41B)に対して所定の合体分離位置に保持する手段(45)を有し、前記複数の装飾部材(40A,40B)及び前記複数の装飾保持部材(41A,41B)を合体状態から分離可能に、前記役物駆動機構(43)により前記複数の装飾部材(40A,40B)を回転させた後に、前記合体分離位置に停止させることを特徴とする。
【発明の効果】
【００１４】
本発明のパチンコ遊技機によれば、複数の装飾部材の斬新で且つインパクトの有る動作を実現して演出効果を高めることができる。
【図面の簡単な説明】
【００１５】
【図１】実施例１のパチンコ遊技機の正面図である。
【図２】パチンコ遊技機の制御系のブロック図である。
【図３】遊技盤と演出役物装置（１対の装飾部材が合体状態）の斜視図である。
【図４】遊技盤と演出役物装置（１対の装飾部材が合体状態）の正面図である。
【図５】遊技盤と演出役物装置（１対の装飾部材が合体状態）の背面図である。
【図６】演出役物装置（１対の装飾部材が分離状態）の正面図である。
【図７】演出役物装置（１対の装飾部材が分離状態）の背面図である。
【図８】演出役物装置（１対の装飾部材が合体状態）の正面図である。
【図９】演出役物装置（１対の装飾部材が合体状態）の背面図である。
【図１０】１対の装飾部材の合体状態における前側からの斜視図である。
【図１１】１対の装飾部材の合体状態における後側からの斜視図である。
【図１２】上側の装飾保持部材等の前側からの斜視図である。
【図１３】上側の装飾保持部材等の後側からの斜視図である。
【図１４】下側の装飾保持部材等の前側からの斜視図である。
【図１５】下側の装飾保持部材等の後側からの斜視図である。
【図１６】上側の可動部材の要部の前側からの斜視図である。
【図１７】上側の可動部材の要部の後側からの斜視図である。
【図１８】上側の可動部材の要部の平面図である。
【図１９】役物移動駆動機構の要部の背面図である。
【図２０】役物移動駆動機構の要部の正面図である。
【図２１】装飾保持部材連結機構の斜視図である。
【図２２】装飾保持部材連結機構（連結状態）の背面図である。
【図２３】装飾保持部材連結機構（連結解除状態）の背面図である。
【図２４】回転駆動機構の正面図である。
【図２５】実施例２の演出役物装置の概略正面図である。
【図２６】実施例３の演出役物装置の概略正面図である。
【図２７】実施例４の演出役物装置の概略正面図である。
【図２８】実施例５の演出役物装置の概略正面図である。
【発明を実施するための形態】
【００１６】
本発明のパチンコ遊技機では、１対の装飾部材が分離状態から合体し、その後、合体状態で一体的に回転し、その後、合体状態から分離するように動作する。以下、発明を実施するための形態について実施例に基づいて説明する。
【実施例１】
【００１７】
図１に示すように、パチンコ遊技機１には、遊技ホールの島構造体に取付けられる外枠に開閉枠２が開閉自在に装着され、開閉枠２に開閉扉３が開閉自在に装着されている。開閉枠２に遊技盤４が装着され、遊技盤４の前面側に遊技領域４ａが形成されている。開閉扉３に窓３ａが形成され、窓３ａに透明板３ｂが装着され、透明板３ｂにより遊技領域４ａの前側が覆われている。
【００１８】
開閉扉３には、窓３ａの下側に貯留皿５が設けられ、貯留皿５に演出ボタン６が装着され、貯留皿５の右下側に発射ハンドル７が装着されている。発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００１９】
図１、図２に示すように、遊技盤４には、多数の障害釘１０、第１始動口１１、第２始動口装置１２、ゲート１３、大入賞口装置１４、複数の一般入賞口１５、センタ役物１６、画像表示器１７、演出役物装置１８、遊技表示盤１９が図１に示す配置で装着され、遊技盤４の裏面側に遊技制御を実行する制御装置２０が装着されている。
【００２０】
第１始動口１１には入賞した遊技球を検出する第１始動口スイッチ１１ａが付設され、ゲート１３には通過した遊技球を検出するゲートＳＷ１３ａが付設され、各一般入賞口１５には入賞した遊技球を検出する一般入賞口スイッチ１５ａが付設されている。尚、「ＳＷ」はスイッチを意味する。
【００２１】
第２始動口装置１２は、第２始動口１２ａ、第２始動口１２ａを開閉する開閉部材１２ｂ、第２始動口１２ａに入賞した遊技球を検出する第２始動口ＳＷ１２ｃ、開閉部材１２ｂを開閉駆動する第２始動口ＳＯＬ１２ｄを有する。尚、「ＳＯＬ」はソレノイドアクチュエータを意味する。開閉部材１２ｂは、閉位置で第２始動口１２ａへの遊技球の入賞を不可能にし、開位置で第２始動口１２ａへの遊技球の入賞を可能にする。
【００２２】
大入賞口装置１４は、大入賞口１４ａ、大入賞口１４ａを開閉する開閉部材１４ｂ、大入賞口１４ａに入賞した遊技球を検出する大入賞口ＳＷ１４ｃ、開閉部材１４ｂを開閉駆動する大入賞口ＳＯＬ１４ｄを有する。開閉部材１４ｂは、閉位置で大入賞口１４ａへの遊技球の入賞を不可能にし、開位置で大入賞口１４ａへの遊技球の入賞を可能にする。
【００２３】
ここで、図３〜図５に示すように、遊技盤４には比較的大きな盤穴４ｂが形成されている。遊技盤４にはその後側から遊技盤裏カバー９が装着され、遊技盤裏カバー９には盤穴４ｂの後側に位置する矩形の盤裏カバー穴９ａが形成されている。
【００２４】
センタ役物１６は、遊技領域４ａの半分以上を占めるサイズで枠状に形成され、遊技盤４の盤穴４ｂに前側から嵌合した状態で装着されている。画像表示器１７は、遊技盤裏カバー９に後側から装着され、画像表示器１７の画面が遊技盤裏カバー９の盤裏カバー穴９ａからセンタ役物１６の内側領域に臨んでいる。
【００２５】
演出役物装置１８は、遊技盤裏カバー９に装着されて、その大部分が遊技盤４と遊技盤裏カバー９の間に配置されている。演出役物装置１８は、遊技演出を行う本案特有の装置であり、例えば、特別図柄の変動中の特定演出実行中に大当り期待度を高めるように画像表示器１７の画面前側で作動する。演出役物装置１８については後で詳しく説明する。
【００２６】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００２７】
第１特別図柄表示器１９ａには、第１始動口１１への遊技球の入賞に基づいて第１特別図柄が図柄変動後に停止表示され、第２特別図柄表示器１９ｂには、第２始動口１２ａへの遊技球の入賞に基づいて第２特別図柄が図柄変動後に停止表示される。第１又は第２特別図柄表示器１９ａ又は１９ｂに大当り図柄が停止表示された場合、大当り遊技が発生して、大入賞口装置１４が、開閉部材１４ｂを開閉動作させ、通常は閉塞の大入賞口１４ａを複数ラウンドに亙って開閉させる。
【００２８】
普通図柄表示器１９ｃには、ゲート１３への遊技球の入賞（通過）に基づいて普通図柄が図柄変動後に停止表示される。普通図柄表示器１９ｃに当り図柄が停止表示された場合、補助遊技が発生して、第２始動口装置１２が、開閉部材１２ｂを開閉動作させ、通常は閉塞の第２始動口１２ａを１又は複数回開閉させる。
【００２９】
第１特別図柄保留ランプ１９ｄには、第１始動口１１に入賞した遊技球の所謂第１特図保留数が最大で４個表示され、第２特別図柄保留ランプ１９ｅには、第２始動口１２ａに入賞した遊技球の所謂第２特図保留数が最大で４個表示され、普通図柄保留ランプ１９ｆには、ゲート１３に入賞した遊技球の所謂普図保留数が最大で４個表示される。
【００３０】
発射ハンドル７を回動操作することで、遊技領域４ａの上部に発射投入された遊技球は、複数の障害釘１０に当たって方向を変えながら落下して、入賞口１１，１２ａ，１４ａ，１５の何れかに入賞した場合、そこから遊技領域４ａ外へ排出され、入賞口１１，１２ａ，１４ａ，１５の何れにも入賞しなかった場合には、最終的に、遊技領域４ａの下端部に形成されたアウト口４ｃから遊技領域４ａ外へ排出される。
【００３１】
パチンコ遊技機１の制御系について説明すると、図２に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣを備えている。遊技制御基板２１は盤用外部情報端子基板２６に接続され、払出制御基板２２は枠用外部情報端子基板２７に接続されている。尚、「ＲＴＣ」はリアルタイムクロックを意味する。
【００３２】
遊技制御基板２１のコンピュータは、第１，第２始動口ＳＷ１１ａ，１２ｃ、ゲートＳＷ１３ａ、大入賞口ＳＷ１４ｃ、一般入賞口ＳＷ１５ａからの信号と、払出制御基板２２からの制御情報とを受けて、第２始動口ＳＯＬ１２ｄ、大入賞口ＳＯＬ１４ｄ、図柄表示器１９ａ〜１９ｃ、図柄保留ランプ１９ｄ〜１９ｆを制御し、払出制御基板２２と演出制御基板２３と盤用外部情報端子基板２６とに制御情報（遊技情報）を出力する。
【００３３】
払出制御基板２２のコンピュータは、遊技制御基板２１からの制御情報と、払出球検出ＳＷ３１、球有り検出ＳＷ３２、満タン検出ＳＷ３３からの信号とを受けて、払出モータ３０を制御し、入賞口１１，１２ａ，１４ａ，１５への遊技球の入賞１個について、入賞口１１，１２ａ，１４ａ，１５毎に設定された数の遊技球を貯留皿５に払出し、遊技制御基板２２と枠用外部情報端子基板２７とに制御情報（払出情報）を出力する。
【００３４】
演出制御基板２３のコンピュータは、遊技制御基板２１からの制御情報と、演出ボタン６からの信号とを受けて、画像制御基板２４に制御情報を出力し、更に、画像制御基板２４からの制御情報を受けて、ランプ制御基板２５に制御情報を出力する。
【００３５】
画像制御基板２４のコンピュータは、演出制御基板２３からの制御情報を受けて、遊技演出用の画像表示器１７とスピーカ３５とを制御し、演出制御基板２３に制御情報を出力する。ランプ制御基板２５のコンピュータは、演出制御基板２３からの制御情報を受けて、主に画像制御基板２４のコンピュータによる制御に同期させて、遊技演出用の枠ランプ３６と盤ランプ３８と演出役物装置１８とを制御する。
【００３６】
次に、演出役物装置１８について詳しく説明する。
図１〜図９に示すように、演出役物装置１８（上下１対の演出装置１８Ａ，１８Ｂ）は、上下１対の装飾部材４０Ａ，４０Ｂと、１対の装飾部材４０Ａ，４０Ｂを夫々保持する上下１対の装飾保持部材４１Ａ，４１Ｂと、１対の装飾部材４０Ａ，４０Ｂと１対の装飾保持部材４１Ａ，４１Ｂを夫々分離状態から合体させ且つ合体状態から分離させる役物合体分離機構４２と、１対の装飾部材４０Ａ，４０Ｂ及び１対の装飾保持部材４１Ａ，４１Ｂを役物合体分離機構４２で合体させた状態で１対の装飾部材４０Ａ，４０Ｂを一体的に動くように駆動する役物駆動機構４３とを備えている。
【００３７】
１対の装飾部材４０Ａ，４０Ｂと１対の装飾保持部材４１Ａ，４１Ｂは、役物合体分離機構４２により、大部分がセンタ役物１６の後側に隠れる退避位置（図３〜図５の仮想線、図６、図７参照）と、大部分がセンタ役物１６の後側から画像表示器１７の画面前側に現れる作動位置（図１、図３〜図５の実線、図８、図９参照）とに亙って切換えられる。
【００３８】
図３〜図１１に示すように、１対の装飾部材４０Ａ，４０Ｂは夫々半円形に且つ同サイズに形成され、１対の装飾部材４０Ａ，４０Ｂが退避位置のとき、上側の装飾部材４０Ａの下端となるストレート端縁が水平になって画像表示器１７の画面上端近傍に位置し、下側の装飾部材４０Ｂの上端となるストレート端縁が水平になって画像表示器１７の画面下端近傍に位置する。
【００３９】
１対の装飾部材４０Ａ，４０Ｂが作動位置のとき、それらのストレート端縁同士が当接状に合体して円板状になり１つのエンブレムを形成する。１対の装飾部材４０Ａ，４０Ｂは、合体状態における全上下長が画像表示器１７の画面上下長と略一致するサイズに形成されている。各装飾部材４０Ａ，４０Ｂは、前面板部４０ａと、前面板部４０ａよりも後方へ張出す外周側部分である外周円弧部４０ｂとを有し、１対の装飾部材４０Ａ，４０Ｂの外周円弧部４０ｂには、その外周部に全周に亙ってギヤ歯７１が形成されている。
【００４０】
図３〜図９、図１２〜図１５に示すように、１対の装飾保持部材４１Ａ，４１Ｂは夫々装飾部材４０Ａ，４０Ｂよりも少しだけ大きい半円形に且つ同サイズに形成され、１対の装飾保持部材４１Ａ，４１Ｂが退避位置のとき、１対の装飾部材４０Ａ，４０Ｂが退避位置のときと同様に、上側の装飾保持部材４１Ａの下端となるストレート端縁が水平になって画像表示器１７の画面上端近傍に位置し、下側の装飾保持部材４１Ｂの上端となるストレート端縁が水平になって画像表示器１７の画面下端近傍に位置する。
【００４１】
１対の装飾保持部材４１Ａ，４１Ｂが作動位置のとき、それらのストレート端縁同士が当接状に合体して円板状になり、円板状の１対の装飾部材４０Ａ，４０Ｂを回転自在に支持する。各装飾保持部材４１Ａ，４１Ｂは、後面板部４１ａと、後面板部４１ａよりも前方へ張出す外周側部分である内側外周円弧部４１ｂ及び外側外周円弧部４１ｃとを有し、各装飾保持部材４１Ａ，４１Ｂには、その両外周円弧部４１ｂ，４１ｃの前側に位置する円弧カバー４１ｄが設けられている。
【００４２】
装飾部材４０Ａ，４０Ｂの外周円弧部４０ｂが、装飾保持部材４１Ａ，４１Ｂの内側外周円弧部４１ｂと外側外周円弧部４１ｃの間に挿入されるとともに、内側外周円弧部４１ｂに外嵌状に摺動自在に係合している。円弧カバー４１ｄにより、外周円弧部４０ｂが内側外周円弧部４１ｂから前側へ係合解除しないように、即ち、装飾部材４０Ａ，４０Ｂが装飾保持部材４１Ａ，４１Ｂから前側へ脱落しないように抜止めされている。
【００４３】
１対の装飾部材４０Ａ，４０Ｂ及び１対の装飾保持部材４１Ａ，４１Ｂが夫々合体した状態で、１対の装飾保持部材４１Ａ，４１Ｂの内側外周円弧部４１ｂ及び外側外周円弧部４１ｃが略環状になって、その内側外周円弧部４１ｂが円板状の１対の装飾部材４０Ａ，４０Ｂの外周円弧部４０ｂを回転自在に支持する。
【００４４】
尚、図示省略するが、１対の装飾保持部材４１Ａ，４１Ｂの後面板部４１ａの前面に夫々ＬＥＤ基板が装着され、各ＬＥＤ基板の前面部に複数のＬＥＤが実装され、一方、１対の装飾部材４０Ａ，４０Ｂの前面板部４０ａには、前記複数のＬＥＤの光を拡散して前方へ通す１又は複数のレンズが装着されている。これにより、１対の装飾部材４０Ａ，４０Ｂを電飾することができる。
【００４５】
上側の装飾保持部材４１Ａの左端下部と下側の装飾保持部材４１Ｂの右端上部には夫々係止部材４５が設けられている。各係止部材４５は、装飾保持部材４１Ａ，４１Ｂの外周円弧部４１ｂ，４１ｃの一端部近傍において外周円弧部４１ｂ，４１ｃよりも径方向外側部分に前後方向の軸４５ａを介して回動自在に支持され、先端部が装飾部材４０Ａ，４０Ｂに向かう方向へ捩じりバネ４６により回動付勢されている。
【００４６】
１対の装飾部材４０Ａ，４０Ｂ及び１対の装飾保持部材４１Ａ，４１Ｂが分離した状態で、各係止部材４５が、装飾保持部材４１Ａ，４１Ｂに対して装飾部材４０Ａ，４０Ｂを回転させないように、捩じりバネ４６の付勢力で装飾部材４０Ａ，４０Ｂの外周部（例えば、ギヤ歯７１）を押圧する。
【００４７】
１対の装飾部材４０Ａ，４０Ｂ及び１対の装飾保持部材４１Ａ，４１Ｂが合体する際、各係止部材４５が、もう一方の係止部材４５を装備した装飾保持部材４１Ａ，４１Ｂによって捩じりバネ４６の付勢力に抗して回動され、装飾部材４０Ａ，４０Ｂの外周部への押圧を解除して、装飾部材４０Ａ，４０Ｂの回転を妨げないようになる。係止部材４５は１対の装飾保持部材４１Ａ，４１Ｂを合体させるように位置決めする機能も有る。
【００４８】
１対の装飾保持部材４１Ａ，４１Ｂは上下１対のアーム部材４７Ａ，４７Ｂの先端部に夫々固定され、１対のアーム部材４７Ａ，４７Ｂの基端部が遊技盤裏カバー９に固定された静止側の上下１対のベース部材４８Ａ，４８Ｂに夫々前後方向の支軸４８ａを介して回動自在に支持されている。
【００４９】
上側のアーム部材４７Ａは、退避位置における上側の装飾保持部材４１Ａの上部から右方へ水平に延び、その途中部から右斜め下側へ延びるヘ字形状に形成され、アーム部材４７Ａの右部近傍に上側のベース部材４８Ａが配置されている。上側の装飾部材４０Ａ及び装飾保持部材４１Ａ及びアーム部材４７Ａが上側の可動部材４９Ａを構成し、この可動部材４９Ａが、退避位置（第１位置）と退避位置よりも高さ位置が低い作動位置（第２位置）とに亙って移動自在に上側のベース部材４８Ａに支持されている。
【００５０】
下側のアーム部材４７Ｂは、退避位置における下側の装飾保持部材４１Ｂの下部から左方へ水平に延び、その途中部から左斜め上側へ延びる逆ヘ字形状に形成され、アーム部材４７Ｂの左部近傍に下側のベース部材４８Ｂが配置されている。下側の装飾部材４０Ｂ及び装飾保持部材４１Ｂ及びアーム部材４７Ｂが下側の可動部材４９Ｂを構成し、この可動部材４９Ｂが、退避位置（第１位置）と退避位置よりも高さ位置が高い作動位置（第２位置）とに亙って移動自在に下側のベース部材４８Ｂに支持されている。
【００５１】
図３〜図９、図１２〜図２４に示すように、役物合体分離機構４２は、１対の装飾保持部材４１Ａ，４１Ｂ（１対の可動部材４９Ａ，４９Ｂ）を退避位置と作動位置とに亙って夫々移動駆動（揺動駆動）する上下１対の役物移動駆動機構５０Ａ，５０Ｂと、１対の装飾保持部材４１Ａ，４１Ｂを作動位置において連結解除可能に連結する装飾保持部材連結機構６０とを有し、１対の装飾保持部材４１Ａ，４０Ｂを分離・合体させることで、１対の装飾部材４０Ａ，４０Ｂを分離・合体させるように構成されている。
【００５２】
図５、図７、図９、図１２、図１３、図１６〜図２０に示すように、上側の役物移動駆動機構５０Ａは、ベース部材４８Ａに回動可能に設けられたピン支持部材である円板部材５１と、円板部材５１に可動部材４９Ａ（アーム部材４７Ａ）の方へ突出状に設けられた係合ピン５２と、可動部材４９Ａに設けられ係合ピン５２が係合可能な水平方向に長いピン係合部５３と、係合ピン５２が公転するように円板部材５１を回動させる回動モータ５４（電動モータ５４）を有するピン回動機構５５とを有する。
【００５３】
上側の役物移動駆動機構５０Ａは、ピン係合部５３の下側においてピン係合部５３に沿って水平方向に延びるように可動部材４９Ａに設けられ、係合ピン５２がピン係合部５３に係合する際に係合ピン５２を収容する第１穴部５６と、第１穴部５６の左端側に連なり且つその第１穴部５６よりも上方へ延びるように可動部材４９Ａに設けられ、可動部材４９Ａが退避位置から作動位置へ下降移動する際に係合ピン５２を収容する第２穴部５７とを備えている。
【００５４】
上側の役物移動駆動機構５０Ａは、係合ピン５２が上限位置のときにピン係合部５３に下側から係合して可動部材４９Ａを退避位置に保持し、係合ピン５２が上限位置から所定方向（図７、図９に矢印αで示す方向）に回動するとピン係合部５３から外れて可動部材４９Ａが退避位置から作動位置まで回動して下降し、係合ピン５２が下限位置から前記所定方向に回動すると再度ピン係合部５３に下側から係合して可動部材４９Ａを作動位置から退避位置まで回動させて上昇させるように構成されている。
【００５５】
上側の可動部材４９Ａは、アーム部材４７Ａに水平方向へは相対移動可能に且つ上下方向へは相対移動不可能にピン５９ａと長穴５９ｂを介して連結された可動プレート５８を有し、この可動プレート５８がベース部材４８Ａに上下方向へ移動自在にガイドされ、この可動プレート５８にピン係合部５３及び第１，第２穴部５６，５７が形成されている。可動プレート５８は役物移動駆動機構５０Ａに含まれるものである。
【００５６】
ここで、上側のベース部材４８Ａは、アーム部材４７Ａを挟んで前後に位置するベース前部材４８ｂとベース後部材４８ｃとを有する。ベース前部材４８ｂに支軸４８ａが後方突出状に設けられ、この支軸４８ａにボールベアリング４８ｄを介してアーム部材４７Ａの基端部が回動自在に外嵌されている。また、ベース前部材４８ｂには支軸４８ａを中心とする略円弧状のリブ４８ｅが後方突出に設けられ、このリブ４８ｅにアーム部材４７Ａが後側から摺動自在に当接して、アーム部材４７Ａが前後に振れるのを抑制している。
【００５７】
可動プレート５８はベース後部材４８ｃに上下移動自在にガイドされている。可動プレート５８に後方突出状に設けられた環状リブにより第１，第２穴部５６，５７が形成され、その環状リブの一部がピン係合部５３を形成している。可動プレート５８よりも後側に円板部材５１と回動モータ５４が配設され、回動モータ５４はベース後部材４８ｃに前向きに取付けられ、その出力軸に円板部材５１の中心部が直結されている。この円板部材５１の外周近傍部に係合ピン５２が前方突出状に設けられ、この係合ピン５２が第１，第２穴部５６，５７内に挿入されて、ピン係合部５３に係合可能になっている。
【００５８】
第１穴部５６（ピン係合部５３）は、円板部材５１の中心と係合ピン５２との間の長さよりも少し長い左右長を有し、係合ピン５２が上限位置及び下限位置のときにピン係合部５３の左端近傍部に位置する。第２穴部５７は、円板部材５１の中心と係合ピン５２との間の長さよりも少し広い最大左右幅を有するとともに、可動部材４９Ａが退避位置と作動位置とに亙って回動する際のピン５９ａの上下ストロークと略同じ最大上下長を有する。また、可動プレート５８に前方突出状に設けられた環状リブにより水平方向に長い長穴５９ｂが形成されている。アーム部材４７Ａの長さ方向途中部にピン５９ａが後方突出状に設けられ、このピン５９ａが長穴５９ｂに摺動自在に係合している。
【００５９】
ベース後部材４８ｃにはセンサ基板５０ａが取付けられ、このセンサ基板５０ａに回動原点ＳＷ５０ｂが取付けられている。回動原点ＳＷ５０ｂは、例えば、フォトセンサからなり、可動プレート５８（或いは、アーム部材４７Ａ）に取付けられた遮蔽部（図示略）を検知して、可動部材４９Ａの回動原点を検出する。
【００６０】
ここで、可動部材４９Ａを上方へ回動付勢する圧縮コイルバネからなるバネ部材５０Ａｃが設けられている。上側の役物移動駆動機構５０Ａにおいて、係合ピン５２が上限位置から前記所定方向に回動するとピン係合部５３から外れて上側の可動部材４９Ａがその重力を含む力で退避位置から作動位置まで回動し下降する。その際、バネ部材５０Ａｃによって可動部材４９Ａの重力による急激な落下が緩和される。また、可動部材４９Ａを上方へ回動駆動する際、その上方駆動がバネ部材５０Ａｃによってアシストされる。
【００６１】
尚、可動部材４９Ａがその重力だけで作動位置まで下降しない場合には、係合ピン５２が前記所定方向に回動して上限位置から下限位置へ移動する際に、可動プレート５８の第２穴部５７の下端縁を押下げて、可動部材４９Ａを作動位置に下降させることができる。
【００６２】
一方、図５、図７、図９、図１４、図１５に示すように、下側の役物移動駆動機構５０Ｂは、ベース部材４８Ｂに回動可能に設けられたピン支持部材である円板部材５１と、円板部材５１に可動部材４９Ｂ（アーム部材４７Ｂ）の方へ突出状に設けられた係合ピン５２と、可動部材４９Ｂに設けられ係合ピン５２が係合可能な水平方向に長いピン係合部５３と、係合ピン５２が公転するように円板部材５１を回動させる回動モータ５４（電動モータ５４）を有するピン回動機構５５とを有する。
【００６３】
下側の役物移動駆動機構５０Ｂは、ピン係合部５３の上側においてピン係合部５３に沿って水平方向に延びるように可動部材４９Ｂに設けられ、係合ピン５２がピン係合部５３に係合する際に係合ピン５２を収容する第１穴部５６と、第１穴部５６の右端側に連なり且つその第１穴部５６よりも下方へ延びるように可動部材４９Ｂに設けられ、可動部材４９Ｂが退避位置から作動位置へ上昇移動する際に係合ピン５２を収容する第２穴部５７とを備えている。
【００６４】
下側の役物移動駆動機構５０Ｂは、係合ピン５２が下限位置のときにピン係合部５３に上側から係合して可動部材４９Ｂを退避位置に保持し、係合ピン５２が下限位置から所定方向（図７、図９に矢印βで示す方向）に回動するとピン係合部５３から外れて可動部材４９Ｂが退避位置から作動位置まで回動して上昇し、係合ピン５２が上限位置から前記所定方向に回動すると再度ピン係合部５３に上側から係合して可動部材４９Ｂを作動位置から退避位置まで回動させて下降するように構成されている。
【００６５】
下側の可動部材４９Ｂは、アーム部材４７Ｂに水平方向へは相対移動可能に且つ上下方向へは相対移動不可能にピン５０ａと長穴５０ｂを介して連結された可動プレート５８を有し、この可動プレート５８がベース部材４８Ｂに上下方向へ移動自在にガイドされ、この可動プレート５８にピン係合部５３及び第１，第２穴部５６，５７が形成されている。可動プレート５８は役物移動駆動機構５０Ｂに含まれるものである。
【００６６】
ここで、下側の可動部材４９Ｂを上方へ回動付勢する比較的強力な圧縮コイルバネからなるバネ部材５０Ｂｃが設けられている。下側の役物移動駆動機構５０Ｂにおいて、係合ピン５２が下限位置から前記所定方向に回動するとピン係合部５３から外れて可動部材４９Ｂがバネ部材５０Ｂｃの付勢力を含む力で退避位置から作動位置まで回動し上昇する。
【００６７】
尚、可動部材４９Ｂがバネ部材５０Ｂｃの付勢力だけで作動位置まで上降しない場合には、係合ピン５２が前記所定方向に回動して下限位置から上限位置へ移動する際に、可動プレート５８の第２穴部５７の上端縁を押上げて、可動部材４９Ｂを作動位置に上昇させることができる。
【００６８】
尚、下側の役物移動駆動機構５０Ｂに関する構成については、上側の役物移動駆動機構５０Ａに関する構成と基本的に上下且つ左右に対称となる構成であるため、上側の役物移動駆動機構５０Ａに関する構成と適宜同一符号を付して、他の詳細な説明を省略する。
【００６９】
図５、図７、図９、図１３〜図１５、図２１〜図２３に示すように、装飾保持部材連結機構６０は、上側の装飾保持部材４１Ａに設けられた１対のフック部材６１、動力伝達部材６２、バネ部材６３、連結解除ＳＯＬ６４（ソレノイドアクチュエータ６４）と、下側の装飾保持部材４１Ｂに設けられた１対のフック係合部６６とを有し、１対のフック部材６１が１対のフック係合部６６に夫々係合して、１対の装飾保持部材４１Ａ，４１Ｂが合体して連結状態になる。
【００７０】
１対のフック部材６１、動力伝達部材６２、バネ部材６３、連結解除ＳＯＬ６４は、略半円形のケース部材６５に収容状に装着されている。ケース部材６５のストレート端縁は開放状に形成され、ケース部材６５は、そのストレート端縁が装飾保持部材４１Ａのストレート端縁と一致するように、上側の装飾保持部材４１Ａの後面部に固定されている。
【００７１】
１対のフック係合部６６はフック形成部材６７に形成され、フック形成部材６７は、その１対のフック係合部６６が下側の装飾保持部材４１Ｂのストレート端縁よりも上側の装飾保持部材４１Ａの方へ突出するように、下側の装飾保持部材４１Ｂの後面部に固定されている。１対の装飾保持部材４１Ａ，４１Ｂが合体した状態で、１対のフック係合部６６がケース部材６５の内部に挿入され、その１対のフック係合部６６に１対のフック部材６１が係合可能になる。
【００７２】
１対のフック部材６１は、左右に適当に間隔を空けて対称に配置され、夫々１対のフック係合部６６に係合する係合位置（図２２参照）と１対のフック係合部６６から係合解除する係合解除位置（図２３参照）とに亙って、前後方向に向く支軸６１ｃを介して回動自在にケース部材６５に支持されている。
【００７３】
各フック部材６１は、フック片６１ａと連結片６１ｂとを有する略Ｌ形に形成され、その中央部分が支軸６１ｃに連結され、フック部材６１が係合位置のとき、中央部分からフック片６１ａが下側へ鉛直に延び連結片６１ｂが内側へ水平に延びる姿勢になる。フック片６１ａの外側端部にフック部６１ｄが形成され、このフック部６１ｄがフック係合部６６に係合し、また、フック片６１ａの内側端部にテーパ案内面６１ｅが形成されている。尚、１対のフック部材６１が対向する方向を内側、その反対方向を外側とする。
【００７４】
１対のフック部材６１の連結片６１ｂの内側端部が、夫々動力伝達部材６２の左右両端部に前後方向の支軸６１ｆを介して回動自在に連結されている。１対のフック部材６１が係合位置から係合解除位置へ回動すると、動力伝達部材６２が下限位置から上限位置へ移動するように、また、１対のフック部材６１が係合解除位置から係合位置へ回動すると、動力伝達部材６２が上限位置から下限位置へ移動するように、１対のフック部材６１と動力伝達部材６２が連動する。
【００７５】
バネ部材６３は鉛直姿勢に配置された引っ張りコイルバネからなり、このバネ部材６３の上端部が動力伝達部材６２に連結され、下端部がケース部材６５に連結されている。つまり、バネ部材６３により動力伝達部材６２が下限位置に付勢され、即ち、動力伝達部材６２を介して１対のフック部材６１が係合位置に回動付勢されている。
【００７６】
連結解除ＳＯＬ６４は鉛直下向き姿勢に配置され、この連結解除ＳＯＬ６４のプランジャ６４ａの下端部が動力伝達部材６２に連結され、連結解除ＳＯＬ６４が励磁されることで動力伝達部材６２を上方へ駆動する。つまり、連結解除ＳＯＬ６４により、動力伝達部材６２が上限位置に移動操作され、その動力伝達部材６２を介して１対のフック部材６１が係合解除位置に回動操作される。
【００７７】
装飾保持部材連結機構６０は、以上の構成に基づいて、次の動作を実現するように構成されている。１対の装飾保持部材４１Ａ，４１Ｂが分離した状態で、連結解除ＳＯＬ６４は非励磁状態となって、１対のフック部材６１は係合位置に位置する。１対の装飾保持部材４１Ａ，４１Ｂが分離状態から合体する際、係合位置の１対のフック部材６０のテーパ案内面６１ｅがバネ部材６３の付勢力に抗して１対のフック係合部６６で夫々押動されて、１対のフック部材６０が係合位置から係合解除位置に回動する。
【００７８】
１対の装飾保持部材４１Ａ，４１Ｂが合体して、一旦は係合解除位置に回動した１対のフック部材６０が、バネ部材６３の付勢力で係合位置に復帰して、１対のフック部材６０のフック部６１ｄが１対のフック係合部６６に係合する。１対の装飾保持部材４１Ａ，４１Ｂが合体状態から分離する際、連結解除ＳＯＬ６４が励磁され、この連結解除ＳＯＬ６４により、１対のフック部材６１が係合位置から係合解除位置に回動され、１対のフック部材６１のフック部６１ｄがフック係合部６６から係合解除する。
【００７９】
図７、図９、図１０、図１１、図１４、図１５、図１７、図１８、図２４に示すように、役物駆動機構４３は、１対の装飾部材４０を合体させた状態で一体的に回転させる役物回転駆動機構７０からなる。
【００８０】
役物回転駆動機構７０は、１対の装飾部材４０Ａ，４０Ｂの外周部に形成された前記ギヤ歯７１と、このギヤ歯７１に噛合するピニオン７２と、このピニオン７２に噛合するギヤ列７３と、このギヤ列７３を介してピニオン７２を回転させる回転モータ７４（電動モータ７４）とを有する。
【００８１】
ピニオン７２とギヤ列７３は、下側のアーム部材４７Ｂの内部に収容され夫々回転自在に且つ互いに噛合した状態で、アーム部材４７Ｂの基端側部分から先端側部分に亙って装着され、ピニオン７２は、装飾保持部材４１Ｂの外側外周円弧部４１ｃに形成された切欠きから外側外周円弧部４１ｃ内に突出している。回転モータ７４は下側のアーム部材４７Ｂの基端側部分の後面部に前向きに取付けられ、この回転モータ７４の出力軸にギヤ列７３の最上流側のギヤが結合されている。
【００８２】
下側のアーム部材４７Ｂにはセンサ基板７０ａが取付けられ、このセンサ基板７０ａに回転原点ＳＷ７０ｂが取付けられている。回転原点ＳＷ７０ｂは、例えば、フォトセンサからなり、装飾部材４０Ｂに取付けられた遮蔽部（図示略）を検知して、装飾部材４０Ａ，４０Ｂの回転原点を検出する。
【００８３】
図２に示すように、ランプ制御基板２５のコンピュータが、演出役物装置１８を制御し、この場合、演出制御基板２３のコンピュータからの制御指令を受け、回動原点ＳＷ５０ｂ、回転原点ＳＷ７０ｂからの検出信号に基づいて、回動モータ５４、連結解除ＳＯＬ６４、回転モータ７４を制御する。
【００８４】
以上説明した演出役物装置１８の作用・効果について説明する。
先ず、演出役物装置１８が非作動状態のとき、１対の装飾部材４０Ａ，４０Ｂが１対の装飾保持部材４１Ａ，４１Ｂに夫々保持された状態で、役物合体分離機構４２により、１対の装飾部材４０Ａ，４０Ｂ及び１対の装飾保持部材４１Ａ，４１Ｂが、画像表示器１７の画面前側の上下両側に分かれるように分離して退避位置に位置し、それらの大部分がセンタ役物１６の後側に隠れた状態になる。
【００８５】
一方、演出役物装置１８が特別図柄の変動中の特定演出実行中に作動して、大当り期待度を高めたり大当りを報知したりする演出や、演出役物装置１８が大当り遊技中の特定演出実行中に作動して、より有利な大当り遊技への昇格を報知する演出等が行われる。
【００８６】
演出役物装置１８が作動することで、先ず、役物合体分離機構４２により、１対の装飾部材４０Ａ，４０Ｂ及び１対の装飾保持部材４１Ａ，４１Ｂが分離状態から合体される。この場合、役物合体分離機構４２において、１対の役物移動駆動機構５０Ａ，５０Ｂにより、１対の装飾部材４０Ａ，４０Ｂ及び１対の装飾保持部材４１Ａ，４１Ｂが退避位置から作動位置へ夫々移動され、それらの大部分が画像表示器１７の画面前側に出現し、装飾保持部材連結機構６０により、１対の装飾保持部材４１Ａ，４１Ｂが作動位置において連結解除可能に連結される。
【００８７】
１対の装飾保持部材４１Ａ，４１Ｂが合体することで、１対の装飾部材４０Ａ，４０Ｂが当接状に合体し、合体状態の１対の装飾保持部材４１Ａ，４１Ｂにより１対の装飾部材４０Ａ，４０Ｂが回転自在に支持される。そして、役物回転駆動機構７０（役物駆動機構４３）により、１対の装飾部材４０Ａ，４０Ｂが合体した状態で一体的に回転駆動され、その際、１対の装飾部材４０Ａ，４０ＢがＬＥＤ及びレンズで鮮やかに電飾される。
【００８８】
その後、役物合体分離機構４２により、１対の装飾部材４０Ａ，４０Ｂ及び１対の装飾保持部材４１Ａ，４１Ｂが合体状態から分離される。この場合、役物合体分離機構４２において、装飾保持部材連結機構６０により、１対の装飾保持部材４１Ａ，４１Ｂが作動位置において連結解除され、１対の装飾部材４０Ａ，４０Ｂが１対の装飾保持部材４１Ａ，４１Ｂに夫々保持された状態で、１対の役物移動駆動機構５０Ａ，５０Ｂにより、１対の装飾部材４０Ａ，４０Ｂ及び１対の装飾保持部材４１Ａ，４１Ｂが作動位置から退避位置へ夫々移動駆動され、演出役物装置１８の作動が終了する。
【００８９】
このように、役物合体分離機構４２が、１対の装飾部材４０Ａ，４０Ｂ及び１対の装飾保持部材４１Ａ，４１Ｂを分離状態から合体させ且つ合体状態から分離させ、役物回転駆動機構７０が、１対の装飾部材４０Ａ，４０Ｂを役物合体分離機構４２で合体させた状態で一体的に回転させるように駆動するので、１対の装飾部材４０Ａ，４０Ｂの斬新で且つインパクトの有る動作を実現して演出効果を高めることができる。
【００９０】
役物合体分離機構４２が、１対の装飾保持部材４１Ａ，４１Ｂを退避位置と作動位置とに亙って夫々移動駆動する１対の役物移動駆動機構５０Ａ，５０Ｂと、１対の装飾保持部材４１Ａ，４１Ｂを作動位置において連結解除可能に連結する装飾保持部材連結機構６０とを有し、合体状態の１対の装飾保持部材４１Ａ，４１Ｂが１対の装飾部材４０Ａ，４０Ｂを回転自在に支持するので、１対の装飾部材４０Ａ，４０Ｂ及び１対の装飾保持部材４１Ａ，４１Ｂを確実に合体・分離させることができ、１対の装飾部材４０Ａ，４０Ｂを合体させた状態で確実に回転させることができる。
【００９１】
１対の装飾部材４０Ａ，４０Ｂを夫々半円形に形成したので、１対の装飾部材４０Ａ，４０Ｂを合体させて円板状にすることができ、その円板状の１対の装飾部材４０Ａ，４０Ｂを回転させて、特有の演出を実現することができる。
【００９２】
１対の装飾保持部材４１Ａ，４１Ｂに１対の装飾部材４０Ａ，４０Ｂの外周円弧部４０ｂが係合する内側外周円弧部４１ｂを設け、１対の装飾部材４０Ａ，４０Ｂと１対の装飾保持部材４１Ａ，４１Ｂが夫々合体した状態で、１対の装飾保持部材４１Ａ，４１Ｂの内側外周円弧部４１ｂが１対の装飾部材４０Ａ，４０Ｂの外周円弧部４０ｂを回転自在に支持するので、１対の装飾部材４０Ａ，４０Ｂを回転自在に支持する構造を上手く実現して、１対の装飾部材４０Ａ，４０Ｂを合体させた状態で確実に回転させることができる。
【００９３】
役物回転駆動機構７０は、１対の装飾部材４０Ａ，４０Ｂの外周部に形成されたギヤ歯７１と、このギヤ歯７１に噛合するピニオン７２と、このピニオン７２に噛合するギヤ列７３と、このギヤ列７３を介してピニオン７２を回転させる回転モータ７４とを有するので、比較的重量が重い回転モータ７４をアーム部材４７Ｂの基端側部分に取付けて、可動部材４９Ｂの回動負荷を大きくしないようにして、１対の装飾部材４０Ａ，４０Ｂを確実に回転駆動することができ、また、これにより、回転モータ７４及びそれに接続される配線を前側から見えないようして整然と配置することもできる。
【００９４】
各装飾保持部材４１Ａ，４１Ｂの外周円弧部４０ｂ，４０ｃの一端部付近に係止部材４５が設けられ、１対の装飾保持部材４１Ａ，４１Ｂが分離した状態で、この係止部材４５が装飾保持部材４１Ａ，４１Ｂに対して装飾部材４０Ａ，４０Ａを回転させないように装飾部材４０Ａ，４０Ａの外周部を押圧するので、装飾部材４０Ａ，４０Ａが装飾保持部材４１Ａ，４１Ｂに対して回転して不格好な姿勢になったり脱落したりしないようにして、演出役物装置１８の作動信頼性を高めることができる。
【００９５】
１対の装飾保持部材４１Ａ，４１Ｂを合体させた状態で連結解除可能に連結する装飾保持部材連結機構６０は、作動位置の（つまり、上下に隣接する）１対の装飾保持部材４１Ａ，４０Ｂのうちの上側の装飾保持部材４１Ａに設けられた１対のフック部材６１と、下側の装飾保持部材４１Ｂに設けられ且つ１対のフック部材６１が夫々係合する１対のフック係合部６６とを有するので、１対の装飾保持部材４１Ａ，４１Ｂを合体させた状態で確実に連結し、その連結状態を確実に維持することができる。
【００９６】
１対のフック部材６１がフック係合部６６に係合する係合位置とフック係合部６６から係合解除する係合解除位置とに亙って回動自在に設けられ、装飾保持部材連結機構６０は、１対のフック部材６１を係合位置に回動付勢するバネ部材６３を有し、１対の装飾保持部材４１Ａ，４１Ｂが合体する際、係合位置の１対のフック部材６１が１対のフック係合部６６で夫々押動されて係合解除位置に回動した後、係合位置に復帰して１対のフック係合部６６に係合するように構成されたので、１対の装飾保持部材４１Ａ，４１Ｂを退避位置から作動位置へ移動させるだけで、１対のフック部材６１を１対のフック係合部６６に自動的に確実に係合させることができる。
【００９７】
装飾保持部材連結機構６０は、１対のフック部材６１を係合解除位置に回動操作する連結解除ＳＯＬ６４を有するので、１対のフック部材６１が１対のフック係合部６６に係合した状態で連結解除ＳＯＬ６４を駆動することで、１対のフック部材６１を１対のフック係合部６６から係合解除させて、１対の装飾保持部材４１Ａ，４１Ｂを合体状態から確実に分離させることができる。
【００９８】
装飾保持部材連結機構６０は、上側の装飾保持部材４１Ａに可動に設けられた動力伝達部材６２を有し、この動力伝達部材６２を介して、バネ部材６３が１対のフック部材６１を係合位置に回動付勢するとともに、連結解除ＳＯＬ６４が１対のフック部材６１を係合解除位置に回動操作するので、１対のフック部材６１を確実に連動させて係合位置と係合解除位置とに亙って回動させることができ、装飾保持部材連結機構６０の作動信頼性を確保することができる。バネ部材６３と連結解除ＳＯＬ６４を１対のフック部材６１に共通のものにして構造を簡単化することができる。
【００９９】
１対の役物移動駆動機構５０Ａ，５０Ｂは、夫々、ベース部材４８Ａ，４８Ｂに回動可能に設けられた円板部材５１と、ピン支持部材５１に可動部材の方へ突出状に設けられた係合ピン５２と、可動部材４９Ａ，４９Ｂに設けられ係合ピン５２が係合可能な水平方向に長いピン係合部５３と、係合ピン５２が公転するように円板部材５１を回動させる回動モータ５４を有するピン回動機構５５とを備えている。
【０１００】
依って、上側の役物移動駆動機構５０Ａでは、係合ピン５２が上限位置のときにピン係合部５３に係合して可動部材４９Ａを退避位置に確実に保持し、係合ピン５２が上限位置から所定方向に回動するとピン係合部５３から外れて可動部材４９Ａを退避位置から作動位置まで円滑に且つ迅速に且つ作動位置では確実に位置決め可能に移動させ、係合ピン５２が下限位置から前記所定方向に回動すると再度ピン係合部５３に係合して可動部材４９Ａを作動位置から退避位置まで確実に移動させるように構成することができる。
【０１０１】
また、下側の役物移動駆動機構５０Ｂでは、係合ピン５２が下限位置のときにピン係合部５３に係合して可動部材４９Ｂを退避位置に確実に保持し、係合ピン５２が下限位置から所定方向に回動するとピン係合部５３から外れて可動部材４９Ｂを退避位置から作動位置まで円滑に且つ迅速に且つ作動位置では確実に位置決め可能に移動させ、係合ピン５２が上限位置から前記所定方向に回動すると再度ピン係合部５３に係合して可動部材４９Ｂを作動位置から退避位置まで確実に移動させるように構成することができる。
【０１０２】
１対の可動部材４９Ａ，４９Ｂには、夫々、ピン係合部５３に沿って水平方向に延び、係合ピン５２がピン係合部５３に係合する際に係合ピン５２を収容する第１穴部５６と、第１穴部５６の一端側に連なり且つその第１穴部５６よりも上方又は下方へ延び、可動部材４９Ａ，４９Ｂが退避位置から作動位置へ移動する際に係合ピン５２を収容する第２穴部５７とを設けたので、可動部材４９Ａ，４９Ｂの作動位置と退避位置とに亙っての移動を確実に行うことができる。
【０１０３】
１対の可動部材４９Ａ，４９Ｂは、夫々、ベース部材４８Ａ，４８Ｂに基端部が回動自在に支持されたアーム部材４７Ａ，４７Ｂと、このアーム部材４７Ａ，４７Ｂに水平方向へは相対移動可能に且つ上下方向へは相対移動不可能にピン５０ａと長穴５０ｂを介して連結された可動プレート５８とを有し、可動プレート５８がベース部材４８Ａ，４８Ｂに上下方向へ移動自在にガイドされ、この可動プレート５８にピン係合部５３及び第１，第２穴部５６，５７が形成されたので、係合ピン５２からの駆動力を可動プレート５８を介して回動自在に支持されたアーム部材４７Ａ，４７Ｂに入力して、そのアーム部材４７Ａ，４７Ｂと共に装飾部材４０Ａ，４０Ｂ及び装飾保持部材４１Ａ，４１Ｂを作動位置から退避位置へ移動させることができる。
【０１０４】
上側の役物移動駆動機構５０Ａでは、係合ピン５２が上限位置のときにピン係合部５３に係合して可動部材４９Ａを退避位置に保持し、係合ピン５２が上限位置から前記所定方向に回動するとピン係合部５３から外れて可動部材４９Ａがその重力を含む力で退避位置から作動位置まで下降移動し、下側の役物移動駆動機構５０Ｂでは、係合ピン５２が下限位置のときにピン係合部５３に係合して可動部材４９Ｂを退避位置に保持し、係合ピン５２が下限位置から前記所定方向に回動するとピン係合部５３から外れて可動部材４９Ｂがバネ部材５０Ｂｃの付勢力を含む力で退避位置から作動位置まで上昇移動するため、１対の装飾部材４０Ａ，４０Ｂ及び１対の装飾保持部材４１Ａ，４１Ｂを退避位置から作動位置に円滑に且つ迅速に移動させて当接状に確実に合体させることができる。
【０１０５】
次に、実施例１を部分的に変更した実施例２以降の実施例について説明する。但し、実施例１と基本的に同じものについては、適宜同一符号を付して説明を省略する。
【実施例２】
【０１０６】
図２５に示すように、実施例２の演出役物装置１８Ｃでは、１対の装飾部材４０Ａ，４０Ｂ及び１対の装飾保持部材４１Ａ，４１Ｂが上下対称に設けられ、役物合体分離機構４２Ｃが、１対の装飾保持部材４１Ａ，４１Ｂを退避位置と作動位置とに亙って夫々上下方向に直線的に移動駆動する１対の役物移動駆動機構５０ＣＡ，５０ＣＢを有する。例えば、実施例１のアーム部材４７Ａ，４７Ｂを省略し、各役物移動駆動機構５０ＣＡ，５０ＣＢは、装飾保持部材４１Ａ，４１Ｂを直線的に移動自在に支持し、ネジ軸・ナット機構を介して移動駆動してもよい。この場合、ネジ軸・ナット機構により装飾保持部材４１Ａ，４１Ｂを移動自在に支持してもよい。
【実施例３】
【０１０７】
図２６に示すように、実施例３の演出役物装置１８Ｄでは、１対の装飾部材４０Ａ，４０Ｂ及び１対の装飾保持部材４１Ａ，４１Ｂが左右対称に設けられ、役物合体分離機構４２Ｄが、１対の装飾保持部材４１Ａ，４１Ｂを退避位置と作動位置とに亙って夫々左右方向に直線的に移動駆動する１対の役物移動駆動機構５０ＤＡ，５０ＤＢを有する。例えば、実施例２同様、実施例１のアーム部材４７Ａ，４７Ｂを省略し、各役物移動駆動機構５０ＤＡ，５０ＤＢとして、実施例２の役物移動駆動機構５０ＣＡ，５０ＣＢを向きを変えて採用してもよい。
【実施例４】
【０１０８】
図２７に示すように、実施例４の演出役物装置１８Ｅは、３つの装飾部材４０ＥＡ，４０ＥＢ，４０ＥＣと、３つの装飾部材４０ＥＡ，４０ＥＢ，４０ＥＣを夫々保持する３つの装飾保持部材４１ＥＡ，４１ＥＢ，４１ＥＣと、３つの装飾部材４０ＥＡ，４０ＥＢ，４０ＥＣと３つの装飾保持部材４１ＥＡ，４１ＥＢ、４１ＥＣを夫々分離状態から合体させ且つ合体状態から分離させる役物合体分離機構４２Ｅと、３つの装飾部材４０ＥＡ，４０ＥＢ，４０ＥＣを役物合体分離機構４２Ｅで合体させた状態で一体的に回動させる役物回動駆動機構（図示略）とを備えている。
【０１０９】
各装飾部材４０ＥＡ，４０ＥＢ，４０ＥＣ及び装飾保持部材４１ＥＡ，４１ＥＢ，４１ＥＣは、実施例１の装飾部材４０Ａ，４０Ｂ及び装飾保持部材４１Ａ，４１Ｂの中心角度を１２０度にした構造で扇形に形成されている。尚、各装飾保持部材４１ＥＡ，４１ＥＢ，４１ＥＣには、実施例１の係止部材と同機能の係止部材（図示略）が設けられている。
【０１１０】
役物合体分離機構４２Ｅは、３つの装飾保持部材４１ＥＡ，４１ＥＢ，４１ＥＣを退避位置と作動位置とに亙って（例えば、１２０度間隔おきの方向へ）夫々移動駆動する３つの役物移動駆動機構５０ＥＡ，５０ＥＢ，５０ＥＣと、３つの装飾保持部材４１ＥＡ，４１ＥＢ，４１ＥＣを作動位置において連結解除可能に連結する３つの装飾保持部材連結機構（図示略）とを有する。
【０１１１】
１つの装飾保持部材は隣接する２つの装飾保持部材（例えば、装飾保持部材４１ＥＡは２つの装飾保持部材４１ＥＢ，４１ＥＣ）に、２つの装飾保持部材連結機構により夫々連結解除可能に連結される。各装飾保持部材連結機構は基本的に実施例１の装飾保持部材連結機構６０と同様の構造である。
【実施例５】
【０１１２】
図２８に示すように、実施例５の演出役物装置１８Ｆは、４つの装飾部材４０ＦＡ，４０ＦＢ，４０ＦＣ，４０ＦＤと、４つの装飾部材４０ＦＡ，４０ＦＢ，４０ＦＣ，４０ＦＤを夫々保持する４つの装飾保持部材４１ＦＡ，４１ＦＢ，４１ＦＣ，４１ＦＤと、４つの装飾部材４０ＦＡ，４０ＦＢ，４０ＦＣ，４０ＦＤと４つの装飾保持部材４１ＦＡ，４１ＦＢ、４１ＦＣ，４１ＦＤを夫々分離状態から合体させ且つ合体状態から分離させる役物合体分離機構４２Ｆと、４つの装飾部材４０ＦＡ，４０ＦＢ，４０ＦＣ，４０ＦＤを役物合体分離機構４２Ｆで合体させた状態で一体的に回動させる役物回動駆動機構（図示略）とを備えている。
【０１１３】
各装飾部材４０ＦＡ，４０ＦＢ，４０ＦＣ，４０ＦＤ及び装飾保持部材４１ＦＡ，４１ＦＢ，４１ＦＣ，４１ＦＤは、実施例１の装飾部材４０Ａ，４０Ｂ及び装飾保持部材４１Ａ，４１Ｂの中心角度を９０度にした構造で扇形に形成されている。尚、各装飾保持部材４１ＦＡ，４１ＦＢ，４１ＦＣ，４１ＦＤには、実施例１の係止部材と同機能の係止部材（図示略）が設けられている。
【０１１４】
役物合体分離機構４２Ｆは、４つの装飾保持部材４１ＦＡ，４１ＦＢ，４１ＦＣ，４１ＦＤを退避位置と作動位置とに亙って（例えば、９０度間隔おきの方向へ）夫々移動駆動する４つの役物移動駆動機構５０ＦＡ，５０ＦＢ，５０ＦＣ，５０ＦＤと、４つの装飾保持部材４１ＦＡ，４１ＦＢ，４１ＦＣ，４１ＦＤを作動位置において連結解除可能に連結する４つの装飾保持部材連結機構（図示略）とを有する。
【０１１５】
１つの装飾保持部材は残り３つのうち隣接する２つの装飾保持部材（例えば、装飾保持部材４１ＦＡは２つの装飾保持部材４１ＦＢ，４１ＦＤ）に、２つの装飾保持部材連結機構により夫々連結解除可能に連結される。各装飾保持部材連結機構は基本的に実施例１の装飾保持部材連結機構６０と同様の構造である。
【０１１６】
その他、本発明の趣旨を逸脱しない範囲において、前記開示事項以外の種々の変更を付加して実施可能である。例えば、１対（複数）の装飾部材が合体した状態で回転以外の動作で一体的に動くように構成することもできる。また、本発明は、種々のパチンコ遊技機において、遊技演出を実行する演出役物装置として適用可能である。
【符号の説明】
【０１１７】
１  パチンコ遊技機
１８，１８Ｃ，１８Ｄ，１８Ｅ，１８Ｆ  演出役物装置
１８Ａ，１８Ｂ  演出装置
４０Ａ，４０Ｂ，４０ＥＡ，４０ＥＢ，４０ＥＣ，４０ＦＡ，４０ＦＢ，４０ＦＣ，４０ＦＤ  装飾部材
４０ｂ  外周円弧部
４１Ａ，４１Ｂ，４１ＥＡ，４１ＥＢ，４１ＥＣ，４１ＦＡ，４１ＦＢ，４１ＦＣ，４１ＦＤ  装飾保持部材
４１ｂ  内側外周円弧部
４２，４２Ｃ，４２Ｄ，４２Ｅ，４２Ｆ  役物合体分離機構
４３  役物駆動機構
４５  係止部材
４７Ａ，４７Ｂ  アーム部材
４８Ａ，４８Ｂ  ベース部材
４９Ａ，４９Ｂ  可動部材
５０Ａ，５０Ｂ，５０ＣＡ，５０ＣＢ，５０ＤＡ，５０ＤＢ，５０ＥＡ，５０ＥＢ，５０ＥＣ，５０ＦＡ，５０ＦＢ，５０ＦＣ，５０ＦＤ  役物移動駆動機構
５０Ｂｃ  バネ部材
５１  円板部材
５２  係合ピン
５３  ピン係合部
５４  回動モータ
５５  ピン回動機構
５６  第１穴部
５７  第２穴部
５８  可動プレート
５９ａ  ピン
５９ｂ  長穴
６０  装飾保持部材連結機構
６１  フック部材
６２  動力伝達部材
６３  バネ部材
６４  連結解除ＳＯＬ
６６  フック係合部
７０  役物回転駆動機構
７１  ギヤ歯
７２  ピニオン
７３  ギヤ列
７４  回転モータ
【図１】
0005792945.tif 000002
【図２】
0005792945.tif 000003
【図３】
0005792945.tif 000004
【図４】
0005792945.tif 000005
【図５】
0005792945.tif 000006
【図６】
0005792945.tif 000007
【図７】
0005792945.tif 000008
【図８】
0005792945.tif 000009
【図９】
0005792945.tif 000010
【図１０】
0005792945.tif 000011
【図１１】
0005792945.tif 000012
【図１２】
0005792945.tif 000013
【図１３】
0005792945.tif 000014
【図１４】
0005792945.tif 000015
【図１５】
0005792945.tif 000016
【図１６】
0005792945.tif 000017
【図１７】
0005792945.tif 000018
【図１８】
0005792945.tif 000019
【図２１】
0005792945.tif 000020
【図２２】
0005792945.tif 000021
【図２３】
0005792945.tif 000022
【図２４】
0005792945.tif 000023
【図２５】
0005792945.tif 000024
【図２６】
0005792945.tif 000025
【図２７】
0005792945.tif 000026
【図２８】
0005792945.tif 000027
【図１９】
0005792945.tif 000028
【図２０】
0005792945.tif 000029